(57)【要約】【課題】輸送時に輸送箱の中身が知られることにより盗難されることを抑止する。【解決手段】製品の輸送時に製品を収納する輸送箱１０に、位置情報を検出するための位置検出手段と、製品情報の表示を許可する特定地域の位置情報を記録する記録手段と、製品情報表示部２０とを備える。輸送箱１０が特定地域５内に在ると判断された場合には製品情報を表示し、特定地域５内にないと判断された場合には、製品情報を非表示にする。【選択図】図１
2007238099.tif 000002
【特許請求の範囲】
【請求項１】
製品の輸送時に前記製品を収納する箱本体と、
前記箱本体の位置情報を検出するための位置検出手段と、
前記製品を示す製品情報の表示を許可する特定地域の位置情報を記録する記録手段と、
前記位置検出手段により検出された位置情報と前記記録手段に記録された特定地域の位置情報とに基づいて、前記箱本体が前記特定地域内に在るか否かを判断する判断手段と、
前記判断手段により前記箱本体が前記特定地域内に在ると判断された場合には、前記製品情報を表示し、前記箱本体が前記特定地域内にないと判断された場合には、前記製品情報を非表示にする製品情報表示手段と、
を備えることを特徴とする輸送箱。
【請求項２】
前記製品情報表示手段は、前記箱本体の外表面に設置され、
前記位置検出手段と前記記録手段と前記判断手段とは、前記製品情報表示手段と電気的に接続する一のユニットにより構成され、該ユニットは、前記箱本体に対して着脱自在に構成される、
ことを特徴とする請求項１に記載の輸送箱。
【請求項３】
前記箱本体は、少なくとも側面が所定の厚みを有する剛体により構成され、
前記側面には、該側面の厚みの中に前記ユニットを取り出し自在に収納する収納部を備え、
前記ユニットは、前記収納部に収納される、
ことを特徴とする請求項２に記載の輸送箱。
【請求項４】
製品の輸送時に前記製品を収納する箱本体と、
外部通信装置から前記製品を示す製品情報の表示又は非表示を指示する指示信号を無線受信する無線受信手段と、
前記指示信号に基づいて前記製品情報の表示又は非表示を切り替え表示する製品情報表示手段と、
を備えることを特徴とする輸送箱。
【請求項５】
前記製品情報表示手段は、電子ペーパ又は液晶モニタより構成される、
ことを特徴とする請求項１乃至４の何れかに記載の輸送箱。
【請求項６】
輸送箱に収納された製品を示す製品情報を表示する製品情報表示装置であって、
前記輸送箱の位置情報を検出するための位置検出手段と、
前記製品情報の表示を許可する特定地域の位置情報を記録する記録手段と、  
前記位置検出手段により検出された位置情報と前記記録手段に記録された特定地域の位置情報とに基づいて、前記輸送箱が前記特定地域内に在るか否かを判断する判断手段と、
前記判断手段により前記輸送箱が前記特定地域内に在ると判断された場合には、前記製品情報を表示し、前記輸送箱が前記特定地域内にないと判断された場合には、前記製品情報を非表示に切り替え表示する製品情報表示手段と、
を備えることを特徴とする製品情報表示装置。
【請求項７】
輸送箱に収納された製品を示す製品情報を表示する製品情報表示装置であって、
外部通信装置から前記製品情報の表示又は非表示を指示する指示信号を無線受信する無線受信手段と、
前記指示信号に基づいて前記製品情報の表示又は非表示を切り替え表示する製品情報表示手段と、
を備えることを特徴とする製品情報表示装置。
【請求項８】
製品の輸送時に前記製品を収納する輸送箱と、該輸送箱を積載して輸送する輸送手段と、を備えた製品輸送システムであって、
前記輸送箱は、
前記製品を収納する箱本体と、
外部通信装置から前記製品を示す製品情報の表示又は非表示を指示する指示信号を無線受信する無線受信手段と、
前記指示信号に基づいて前記製品情報の表示又は非表示を切り替え表示する製品情報表示手段と、を備え、
前記輸送手段は、
前記輸送手段の位置情報を検出するための位置検出手段と、
前記製品情報の表示を許可する特定地域の位置情報を記録する記録手段と、
前記位置検出手段により検出された位置情報と前記記録手段に記録された特定地域の位置情報とに基づいて、前記輸送箱が前記特定地域内に在るか否かを判断して指示信号を生成する判断手段と、
前記指示信号を前記無線受信手段に対して送信する無線送信手段と、
を備えることを特徴とする製品輸送システム。
【発明の詳細な説明】
【技術分野】
【０００１】
本発明は、輸送箱、製品情報表示装置、製品輸送システムに係り、特に、輸送中における製品の盗難を抑止するための技術に関する。
【背景技術】
【０００２】
特許文献１は、貴重品輸送方式の例として、車両に搭載された貴重品収納箱に位置情報を取得するためのＧＰＳ受信機を内蔵し、ある時刻における位置情報を元に貴重品収納箱の開錠を管理する輸送方式が開示されている。
【特許文献１】特開２００３−２２１９５５号公報
【発明の開示】
【発明が解決しようとする課題】
【０００３】
一般に、電気精密機器を輸送する際の輸送箱は、段ボール箱などが使用されることが多く、上記特許文献１のように輸送箱自体に鍵を取り付けることはない。そのため、電気精密機器の輸送時における盗難防止として特許文献１を適用することはできない。一方、電気精密機器の輸送箱には、輸送箱の側面に、その輸送箱の中身を特定する為の製品名や型番が印刷されることが多い。そのため、その製品名や型番をみれば輸送箱の中身が第三者に知られてしまい輸送時に盗難されるという問題がある。
【０００４】
本発明は、上記問題に鑑みてなされたものであり、輸送時に輸送箱の中身が知られることにより盗難されることを抑止し得る技術を提供することを目的とする。
【課題を解決するための手段】
【０００５】
上記目的を達成するために、本発明に係る輸送箱は、製品の輸送時に前記製品を収納する箱本体と、前記箱本体の位置情報を検出するための位置検出手段と、前記製品を示す製品情報の表示を許可する特定地域の位置情報を記録する記録手段と、前記位置検出手段により検出された位置情報と前記記録手段に記録された特定地域の位置情報とに基づいて、前記箱本体が前記特定地域内に在るか否かを判断する判断手段と、前記判断手段により前記箱本体が前記特定地域内に在ると判断された場合には、前記製品情報を表示し、前記箱本体が前記特定地域内にないと判断された場合には、前記製品情報を非表示にする製品情報表示手段と、を備えることを特徴とする。
【０００６】
これにより、輸送箱の位置情報に基づいて製品情報を表示又は非表示することができる。
【０００７】
また、前記製品情報表示手段は、前記箱本体の外表面に設置され、前記位置検出手段と前記記録手段と前記判断手段とは、前記製品情報表示手段と電気的に接続する一のユニットにより構成され、該ユニットは、前記箱本体に対して着脱自在に構成されてもよい。
【０００８】
これにより、輸送箱の使用後、制御装置を輸送箱から切り離して回収し、再利用することができる。
【０００９】
また、前記箱本体は、少なくとも側面が所定の厚みを有する剛体により構成され、前記側面には、該側面の厚みの中に前記制御装置を取り出し自在に収納する収納部を備え、前記ユニットは、前記収納部に収納されてもよい。
【００１０】
これにより、箱本体の収納量を減らすことなく、かつ制御装置を衝撃から保護しつつ輸送箱に備えることができる。
【００１１】
また、本発明に係る輸送箱は、製品の輸送時に前記製品を収納する箱本体と、外部通信装置から前記製品を示す製品情報の表示又は非表示を指示する指示信号を無線受信する無線受信手段と、前記指示信号に基づいて前記製品情報の表示又は非表示を切り替え表示する製品情報表示手段と、を備えることを特徴とする。
【００１２】
これにより、外部装置からの指示信号に基づいて製品情報を表示又は非表示することができる。この場合、外部装置は、製品情報の表示又は非表示を指示する指示信号を送出する装置であればよく、ユーザが任意のタイミングで指示信号を送出してもよいし、カーナビなどから得た位置情報に基づいて自動的に製品情報の表示又は非表示を指示する指示信号を送出する装置でもよい。
【００１３】
また、前記製品情報表示手段は、電子ペーパ又は液晶モニタより構成されてもよい。
【００１４】
また、本発明に係る製品情報表示装置は、輸送箱に収納された製品を示す製品情報を表示する製品情報表示装置であって、前記輸送箱の位置情報を検出するための位置検出手段と、前記製品情報の表示を許可する特定地域の位置情報を記録する記録手段と、前記位置検出手段により検出された位置情報と前記記録手段に記録された特定地域の位置情報とに基づいて、前記輸送箱が前記特定地域内に在るか否かを判断する判断手段と、前記判断手段により前記輸送箱が前記特定地域内に在ると判断された場合には、前記製品情報を表示し、前記輸送箱が前記特定地域内にないと判断された場合には、前記製品情報を非表示に切り替え表示する製品情報表示手段と、を備えることを特徴とする。
【００１５】
これにより、輸送箱の位置情報に基づいて、製品情報の表示／非表示を切り替える製品情報表示装置を提供することができる。
【００１６】
また、本発明に係る製品情報表示装置は、輸送箱に収納された製品を示す製品情報を表示する製品情報表示装置であって、外部通信装置から前記製品情報の表示又は非表示を指示する指示信号を無線受信する無線受信手段と、前記指示信号に基づいて前記製品情報の表示又は非表示を切り替え表示する製品情報表示手段と、を備えることを特徴とする。
【００１７】
これにより、指示信号に基づいて、製品情報の表示／非表示を切り替える製品情報表示装置を提供することができる。
【００１８】
また、本発明に係る製品輸送システムは、製品の輸送時に前記製品を収納する輸送箱と、該輸送箱を積載して輸送する輸送手段と、を備えた製品輸送システムであって、前記輸送箱は、前記製品を収納する箱本体と、外部通信装置から前記製品を示す製品情報の表示又は非表示を指示する指示信号を無線受信する無線受信手段と、前記指示信号に基づいて前記製品情報の表示又は非表示を切り替え表示する製品情報表示手段と、を備え、前記輸送手段は、前記輸送手段の位置情報を検出するための位置検出手段と、前記製品情報の表示を許可する特定地域の位置情報を記録する記録手段と、前記位置検出手段により検出された位置情報と前記記録手段に記録された特定地域の位置情報とに基づいて、前記輸送箱が前記特定地域内に在るか否かを判断して指示信号を生成する判断手段と、前記指示信号を前記無線受信手段に対して送信する無線送信手段と、を備えることを特徴とする。
【００１９】
これにより、輸送手段に既存の位置検出手段を用いて位置情報を取得し、これに基づいて製品情報の表示又は非表示を制御することができ、既存設備の有効利用を図ることができる。
【発明の効果】
【００２０】
本発明によれば、輸送箱の位置情報又は製品情報の表示又は非表示を指示する指示信号に基づいて、輸送箱の中身を示す製品情報の表示切替を行うことができる。これにより、製品情報が不要なときにはマスクし、製品情報を第三者が読み取ることによる盗難事故を抑止することができる。
【発明を実施するための最良の形態】
【００２１】
以下添付図面に従って本発明に係る輸送箱、製品情報表示装置、及び製品輸送システムの好ましい実施の形態について詳説する。
【００２２】
＜第一実施形態＞
［システムの概略構成］
図１は、本発明に係る製品輸送システム１の全体構成及び動作処理を示す概念図である。本実施形態に係る製品輸送システム１は、工場２、倉庫３、店舗４の周辺を特定地域５と指定する。そして、特定地域５内では、輸送時に製品を収納する輸送箱１０の外表面に設置した製品情報表示部２０に、その製品を示す製品情報を表示する。
【００２３】
製品を収納した輸送箱１０が輸送手段であるトラック６に積載されて輸送される途中、特定地域５の外に出ると、製品情報表示部２０は製品情報を非表示にする。
【００２４】
図２は、製品情報表示部２０の表示例を示す。図２（ａ）、（ｂ）は、製品情報を表示する態様を示し、図２（ｃ）、（ｄ）は非表示の態様を示す。製品情報には、製品の製造メーカ「○○○株式会社」、製品名「イメージメモリカード」、製品型番「ＤＰＣ―×××」、製品を特定するバーコード、製品個数「１００個入り（１０×１０）」、また、輸送箱の取り扱い時の注意事項を示す記号や、精密機器がはいっていることを示す「精密機器」表示などが含まれる。また、非表示の態様としては、製品情報表示部２０を空白にしたり、製品情報表示部２０に製品を特定できないダミー情報、例えば「空箱」や「廃棄物」を表示したりする。
【００２５】
特定地域５は、出荷時、入荷時、荷受け時など、製品情報を確認しなければ必要な処理が行えない地域を指定する。トラック６の輸送経路中は、製品情報を確認する処理が不要であるため、製品情報をマスクする。
【００２６】
図３は、輸送箱１０におけるユニット３０の位置を示す模式図である。輸送箱１０と、その輸送箱１０の外表面に設置された製品情報表示部２０と、製品情報表示部２０に製品情報を表示／非表示の切替を行うためのユニット３０と、を示す。製品情報表示部２０は、液晶モニタや電子ペーパーなど、電気的に製品情報の表示／非表示を制御できる部材により構成される。
【００２７】
図３では、輸送箱１０の４側面に製品情報表示部２０を設置したが、製品情報表示部２０は、外表面に少なくとも一つあればよい。好ましくは、少なくとも対角線上の２つの位置に製品情報表示部２０を設置すると、輸送箱１０を積み上げたときの確認に便利である。
【００２８】
輸送箱１０は、段ボール製の箱でもよいが、本実施の形態では、所定の厚みを備えた剛体、例えばプラスチック性の箱により構成する。輸送箱１０の側面には、その厚みの内部にポケット状の開口部として構成された収納部１１を備える。収納部１１には、製品情報表示部２０における製品情報の表示／非表示を制御するユニット３０を収納する。ユニット３０と、製品情報表示部２０とを接続する電線２１は、その大部分が輸送箱１０の厚みの中に配線され、その先端部にコネクタ２２が設けられる。このコネクタ２２をユニット３０の図示しない差し込み口に差し込むことにより、製品情報表示部２０とユニット３０とは電気的に接続する。コネクタ２２を着脱することにより、ユニット３０は、輸送箱１０から着脱することができ、輸送箱１０の使用後、ユニット３０だけを回収することができる。
【００２９】
図４は、輸送箱１０におけるユニット３０の位置の他の例を示す。ユニット３０は、輸送箱１０の内部であって、製品１２を収納したときに生じる隙間に収納してもよい。
【００３０】
図５は、製品情報表示部２０とユニット３０とを示すブロック図である。
【００３１】
ユニット３０は、製品情報表示部２０やユニット３０の動作を制御するマイコン３１と、ＧＰＳ（Global Positioning System）位置情報を受信するＧＰＳ受信部３２と、特定地域の位置情報（座標、緯度及び経度など）や製品情報、ダミー情報を記録するＥＰＲＯＭ３３と、マイコン３１及び製品情報表示部２０に給電するバッテリー３４とを備える。マイコン３１は、ＧＰＳ受信部３２が受信したＧＰＳ信号とＥＰＲＯＭ３３に記録された特定地域の位置情報とを比較し、一致した場合には製品情報表示部２０に製品情報を表示させ、不一致の場合、すなわち特定地域外にあるときには製品情報表示部２０に製品情報にマスク表示又はダミー情報表示させる。
【００３２】
図６は、本実施の形態の処理の流れを示すフローチャートである。
【００３３】
ステップＳ１では、ＧＰＳ受信部３２がＧＰＳ位置情報を受信し、マイコン３１がＧＰＳ位置情報を取得する（Ｓ１）。ステップＳ２では、マイコン３１がＥＰＲＯＭ３３の特定地域の位置情報とＳ１で取得したＧＰＳ位置情報とを比較し、ＧＰＳ位置情報が特定地域内に在るか否かを判断する（Ｓ２）。「Ｙｅｓ」であればＳ３へ、「Ｎｏ」であればＳ４へ進む。Ｓ３では、マイコン３１が製品情報を製品情報表示部２０に表示させる（Ｓ３）。Ｓ４では、マイコン３１が製品情報を製品情報表示部２０に非表示させる（Ｓ４）。Ｓ５において、終了でなければＳ１にもどり、上記の処理を繰り返し、終了であれば、本処理を終了する。
【００３４】
これにより、トラック６に積載された輸送箱１０が移動する際、その輸送箱１０の位置が特定地域の内外にあるかを判断し、特定地域内であれば製品情報を表示、特定地域外であれば製品情報を非表示することができる。そのため、輸送経路中、特定地域外にある場合には、輸送箱１０の外見から輸送箱１０の中身がわからず、輸送箱１０が高額製品であることが第三者にわかってしまうことによる盗難事故を抑止することができる。一方、出荷時、荷受け時、入荷時など輸送箱１０の中身を知る必要がある場合には、製品情報を表示することができ、これらの作業に支障をきたすことがない。
【００３５】
更に、ユニット３０を輸送箱１０から切り離すことができるので、製品の輸送後、ユニット３０だけを回収し、再利用することができる。その際、輸送箱１０の中身が代わたり、出荷先が代わった場合でも、ＥＰＲＯＭ３３の製品情報や特定地域の位置情報を変更するだけで、ユニット３０を再利用することができる。
【００３６】
また、上記では、位置検出手段としてＧＰＳ受信機を備えたが、ＰＨＳ又は携帯電話の基地局エリアから位置情報を検出できるものでもよい。
【００３７】
＜第二実施形態＞
第二実施形態は、ユニットにはＧＰＳ受信機を備えず、トラック６に備えられたカーナビゲーションシステムを用いて位置情報を取得する実施形態である。
【００３８】
図７は、本実施の形態を示すブロック図である。
【００３９】
トラック６は、カーナビゲーションシステム（以下「カーナビ」という）５０を備える。ユニット４０は、１台のトラック６に対して１機備えられ、カーナビ５０に接続される。トラック６に積載される各輸送箱１０には、製品情報表示部２０及びＩＣタグ３５が設置される。
【００４０】
ユニット４０は、カーナビ５０から位置情報を取得して製品の表示／非表示を判断するマイコン４１と、特定地域の位置情報を記録するＥＰＲＯＭ４３と、ユニット４０の各構成要素に給電するためのバッテリー４４と、無線信号を送信するためのアンテナ４５と、を備える。
【００４１】
製品情報表示部２０は、ＬＣＤにより構成され、そのＬＣＤには、アンテナ４５から無線信号を受信し、その無線信号に基づいて製品情報表示部２０の表示／非表示を制御するＩＣタグ３５が接続される。
【００４２】
マイコン４１は、カーナビ５０空の位置情報とＥＰＲＯＭ４３に記録された特定地域の位置情報とを比較し、一致すると判断した場合には製品情報を表示させるための指示信号を、一致しないと判断した場合には、製品情報を表示させないための指示信号を生成し、アンテナ４５から送信する。この指示信号は、製品情報表示部２０をＯＮ又はＯＦＦに切り替えるＯＮ／ＯＦＦ信号である。
【００４３】
ＩＣタグ３５は、上記ＯＮ／ＯＦＦ信号を受信し、このＯＮ／ＯＦＦ信号に基づいて製品情報表示部２０の表示をＯＮ又はＯＦＦにする。
【００４４】
これにより、特定地域内にトラック６があるときには、ユニット４０からＯＮ信号をＩＣタグ３５が受信し、製品情報表示部２０に製品情報が表示される。一方、特定地域外にトラック６があるときには、ユニット４０からＯＦＦ信号をＩＣタグ３５が受信し、製品情報表示部２０に製品情報が非表示される。
【００４５】
更に、トラック６に既存のカーナビ５０を使用することで、ユニット４０にはＧＰＳ受信機が不要となる。また、一のユニット４０により、トラック６に積載された複数の輸送箱１０の製品情報の表示／非表示を制御することができ、製品輸送システム１全体に係るコストを低減させることができる。
【００４６】
＜その他の実施形態＞
上記実施形態では、輸送箱の位置情報に基づいて、製品情報の表示／非表示を切り替えたが、製品情報の表示を指示する指示信号を送信する送信機を構成し、これにより、ユーザが所望するタイミングで製品情報の表示／非表示を切り替えるように構成してもよい。
【００４７】
また、ユニット４０にタイマを更に備え、特定地域毎に製品情報を表示してから所定時間後、特定地域内であっても、製品情報を非表示に変更してもよい。例えば、トラック６が、倉庫３が含まれる特定地域５内に入ると製品情報が表示される。そして、タイマが、製品情報が表示されてからの経過時間を計測し、荷受けに必要な時間、例えば６時間経過後に、製品情報を非表示に変更する。これにより、倉庫で荷受けされた後、保管中は製品情報をマスクすることができ、倉庫３内に保管中の盗難を抑止することができる。
【００４８】
また、上記では、ユニット３０を輸送箱１０から着脱自在に構成したが、ユニット３０及び製品情報表示部２０を輸送箱１０に対して着脱自在に構成してもよい。
【図面の簡単な説明】
【００４９】
【図１】製品輸送システム１を示す概念図
【図２】製品情報の表示例
【図３】輸送箱におけるユニットの位置を示す模式図
【図４】輸送箱におけるユニットの位置を示す模式図
【図５】製品情報表示部とユニットとを示すブロック図
【図６】本実施の形態の処理の流れを示すフローチャート
【図７】第二実施形態を示すブロック図
【符号の説明】
【００５０】
１：製品輸送システム、５：特定地域、１０：輸送箱、２０：製品情報表示部、３０：ユニット、４０：ユニット、５０：カーナビ
【図１】
2007238099.tif 000003
【図２】
2007238099.tif 000004
【図３】
2007238099.tif 000005
【図４】
2007238099.tif 000006
【図５】
2007238099.tif 000007
【図６】
2007238099.tif 000008
【図７】
2007238099.tif 000009